(57)【要約】【課題】導光レンズ2の出射面2bから発光素子光源1の光軸1'上に照射される光の光度を低くすると共に、導光レンズ2の出射面2bから照射される光によって形成される配光パターンPの縁部P1の輪郭を明瞭にする。【解決手段】発光素子光源1の光軸1'に概略垂直な平面によって導光レンズ2の出射面2bを形成し、発光素子光源1の側に頂点2a1aを有する２次曲線2a1を発光素子光源1の光軸1'を中心に回転させることにより得られる曲面によって導光レンズ2の入射面2aを形成し、２次曲線2a1の頂点2a1aよりも発光素子光源1の光軸1'に近い部分を介して入射した光L01a1が入射面2aによって光軸1'から遠ざかる側に屈折せしめられ、２次曲線2a1の頂点2a1aよりも発光素子光源1の光軸1'から遠い部分を介して入射した光L07a1が入射面2aによって光軸1'に近づく側に屈折せしめられる照明装置10。【選択図】図９
2010198747.tif 000002
【特許請求の範囲】
【請求項１】
発光素子光源（１）から放射された光（Ｌ０１ａ１，Ｌ０７ａ１）が、導光レンズ（２）の入射面（２ａ）を介して導光レンズ（２）内に入射し、導光レンズ（２）によって導光され、導光レンズ（２）の出射面（２ｂ）を介して照明装置の照射方向に照射されるように構成された照明装置（１０）において、
発光素子光源（１）の光軸（１’）に対して概略垂直な平面によって導光レンズ（２）の出射面（２ｂ）を形成し、
発光素子光源（１）の側に頂点（２ａ１ａ）を有する２次曲線（２ａ１）を、発光素子光源（１）の光軸（１’）を中心に回転させることにより得られる曲面によって、導光レンズ（２）の入射面（２ａ）を形成し、
２次曲線（２ａ１）の頂点（２ａ１ａ）を発光素子光源（１）の発光面（１ａ）の外縁部（１ａ１）よりも発光素子光源（１）の光軸（１’）から遠い位置に配置すると共に、
２次曲線（２ａ１）の頂点（２ａ１ａ）を発光素子光源（１）の発光面（１ａ）よりも導光レンズ（２）の出射面（２ｂ）に近い位置に配置し、
導光レンズ（２）の入射面（２ａ）のうち、２次曲線（２ａ１）の頂点（２ａ１ａ）よりも発光素子光源（１）の光軸（１’）に近い部分を介して入射した発光素子光源（１）からの光（Ｌ０１ａ１）が、導光レンズ（２）の入射面（２ａ）によって、発光素子光源（１）の光軸（１’）から遠ざかる側に屈折せしめられ、
導光レンズ（２）の入射面（２ａ）のうち、２次曲線（２ａ１）の頂点（２ａ１ａ）よりも発光素子光源（１）の光軸（１’）から遠い部分を介して入射した発光素子光源（１）からの光（Ｌ０７ａ１）が、導光レンズ（２）の入射面（２ａ）によって、発光素子光源（１）の光軸（１’）に近づく側に屈折せしめられることを特徴とする照明装置（１０）。
【請求項２】
第１端点（Ｕ）、第２端点（Ｓ）および制御点（Ｖ）の座標値によって定義される２次ベジェ曲線によって２次曲線（２ａ１）を設定し、
第１端点（Ｕ）を発光素子光源（１）の光軸（１’）上に設定し、
制御点（Ｖ）を、発光素子光源（１）の発光面（１ａ）よりも導光レンズ（２）の出射面（２ｂ）に近い位置に設定すると共に、発光素子光源（１）の発光面（１ａ）の外縁部（１ａ１）よりも発光素子光源（１）の光軸（１’）に近い位置に設定し、
第２端点（Ｓ）を、制御点（Ｖ）よりも導光レンズ（２）の出射面（２ｂ）に近い位置に設定すると共に、発光素子光源（１）の発光面（１ａ）の外縁部（１ａ１）よりも発光素子光源（１）の光軸（１’）から遠い位置に設定したことを特徴とする請求項１に記載の照明装置（１０）。
【請求項３】
導光レンズ（２）の入射面（２ａ）のうち、発光素子光源（１）の光軸（１’）を中心とする半径約０．２ｍｍの部分を、平面によって形成したことを特徴とする請求項２に記載の照明装置（１０）。
【請求項４】
導光レンズ（２）の入射面（２ａ）のうち、発光素子光源（１）の光軸（１’）を中心とする半径約０．２ｍｍの部分を、球状面によって形成したことを特徴とする請求項２に記載の照明装置（１０）。
【請求項５】
発光部（１０ａ）の発光素子光源（１）から放射された光（ＬＦａ１，ＬＦｂ１，ＬＦｃ１）が、発光部（１０ａ）の導光レンズ（２）の入射面（２ａ）を介して発光部（１０ａ）の導光レンズ（２）内に入射し、発光部（１０ａ）の導光レンズ（２）によって導光され、発光部（１０ａ）の導光レンズ（２）の出射面（２ｂ）を介して発光部（１０ａ）の照射方向に照射され、
発光部（１０ａ）の導光レンズ（２）の出射面（２ｂ）から照射された光（ＬＦａ３）の反射光（ＬＲａ１）が、受光部（１０ｂ）の導光レンズ（１２）の入射面（１２ａ）を介して受光部（１０ｂ）の導光レンズ（１２）内に入射し、受光部（１０ｂ）の導光レンズ（１２）によって導光され、受光部（１０ｂ）の導光レンズ（１２）の出射面（１２ｂ）およびカメラレンズ（１３）を介して受光素子（１１）に受光されるように構成された検出装置（２０）において、
発光部（１０ａ）の発光素子光源（１）の光軸（１’）に対して概略垂直な平面によって発光部（１０ａ）の導光レンズ（２）の出射面（２ｂ）を形成し、
発光部（１０ａ）の発光素子光源（１）の側に頂点（２ａ１ａ）を有する２次曲線（２ａ１）を、発光部（１０ａ）の発光素子光源（１）の光軸（１’）を中心に回転させることにより得られる曲面によって、発光部（１０ａ）の導光レンズ（２）の入射面（２ａ）を形成し、
２次曲線（２ａ１）の頂点（２ａ１ａ）を発光部（１０ａ）の発光素子光源（１）の発光面（１ａ）の外縁部（１ａ１）よりも発光部（１０ａ）の発光素子光源（１）の光軸（１’）から遠い位置に配置すると共に、
２次曲線（２ａ１）の頂点（２ａ１ａ）を発光部（１０ａ）の発光素子光源（１）の発光面（１ａ）よりも発光部（１０ａ）の導光レンズ（２）の出射面（２ｂ）に近い位置に配置し、
発光部（１０ａ）の導光レンズ（２）の出射面（２ｂ）と受光部（１０ｂ）の導光レンズ（１２）の入射面（１２ａ）とを同一平面上に配置し、
受光部（１０ｂ）の導光レンズ（１２）の出射面（１２ｂ）を発光部（１０ａ）の導光レンズ（２）の入射面（２ａ）よりも受光部（１０ｂ）の導光レンズ（１２）の入射面（１２ａ）に近い位置に配置し、
受光部（１０ｂ）の受光素子（１１）に近づく側に発光部（１０ａ）の導光レンズ（２）内を進む光（ＬＦｂ２）を受光部（１０ｂ）の受光素子（１１）から遠ざかる側に反射するための反射面（２ｃ）を発光部（１０ａ）の導光レンズ（２）の入射面（２ａ）と出射面（２ｂ）との間に形成し、
発光部（１０ａ）の導光レンズ（２）の入射面（２ａ）のうち、２次曲線（２ａ１）の頂点（２ａ１ａ）よりも発光部（１０ａ）の発光素子光源（１）の光軸（１’）に近い部分を介して入射した発光部（１０ａ）の発光素子光源（１）からの光が、発光部（１０ａ）の導光レンズ（２）の入射面（２ａ）によって、発光部（１０ａ）の発光素子光源（１）の光軸（１’）から遠ざかる側に屈折せしめられ、
発光部（１０ａ）の導光レンズ（２）の入射面（２ａ）のうち、２次曲線（２ａ１）の頂点（２ａ１ａ）よりも発光部（１０ａ）の発光素子光源（１）の光軸（１’）から遠い部分を介して入射した発光部（１０ａ）の発光素子光源（１）からの光が、発光部（１０ａ）の導光レンズ（２）の入射面（２ａ）によって、発光部（１０ａ）の発光素子光源（１）の光軸（１’）に近づく側に屈折せしめられることを特徴とする検出装置（２０）。
【請求項６】
発光部（１０ａ）の導光レンズ（２）の出射面（２ｂ）から発光部（１０ａ）の発光素子光源（１）の光軸（１’）と角度をなして照射される光の光度が、発光部（１０ａ）の導光レンズ（２）の出射面（２ｂ）から発光部（１０ａ）の発光素子光源（１）の光軸（１’）上に照射される光の光度よりも高くなるように、発光部（１０ａ）の導光レンズ（２）の入射面（２ａ）を設定したことを特徴とする請求項５に記載の検出装置（２０）。
【発明の詳細な説明】
【技術分野】
【０００１】
本発明は、発光素子光源から放射された光が、導光レンズの入射面を介して導光レンズ内に入射し、導光レンズによって導光され、導光レンズの出射面を介して照明装置の照射方向に照射されるように構成された照明装置および検出装置に関する。
【０００２】
特に、本発明は、導光レンズの出射面から発光素子光源の光軸上に照射される光の光度を低くすると共に、導光レンズの出射面から照射される光によって形成される配光パターンの縁部の輪郭を明瞭にすることができる照明装置および検出装置に関する。
【背景技術】
【０００３】
従来から、発光素子光源から放射された光が、導光レンズの入射面を介して導光レンズ内に入射し、導光レンズによって導光され、導光レンズの出射面を介して照明装置の照射方向に照射されるように構成された照明装置が知られている。この種の照明装置の例としては、例えば特開平１０−８２９１５号公報に記載されたものがある。
【０００４】
特開平１０−８２９１５号公報に記載された照明装置では、発光素子光源の光軸に対して概略垂直な平面によって導光レンズの出射面が形成されている。更に、奥へ入るほど幅が狭くなるように形成された導光レンズの凹部内に発光素子光源が配置されている。つまり、奥へ入るほど幅が狭くなるように形成された導光レンズの凹部の表面の一部が、導光レンズの入射面として機能している。
【０００５】
そのため、特開平１０−８２９１５号公報に記載された照明装置では、発光素子光源からの光が、導光レンズの入射面によって、発光素子光源の光軸から遠ざかる側に屈折せしめられる。
【０００６】
その結果、特開平１０−８２９１５号公報に記載された照明装置では、発光素子光源の光軸上に導光レンズの出射面から照射される光の光度（輝度）が部分的に高くなってしまうのを防止することができる。
【先行技術文献】
【特許文献】
【０００７】
【特許文献１】特開平１０−８２９１５号公報
【発明の概要】
【発明が解決しようとする課題】
【０００８】
ところで、特開平１０−８２９１５号公報に記載された照明装置では、導光レンズの入射面のうち、発光素子光源の光軸に近い部分を介して入射した発光素子光源からの光のみならず、導光レンズの入射面のうち、発光素子光源の光軸から遠い部分を介して入射した発光素子光源からの光も、導光レンズの入射面によって、発光素子光源の光軸から遠ざかる側に屈折せしめられる。
【０００９】
詳細には、特開平１０−８２９１５号公報に記載された照明装置では、発光素子光源の光軸と小さい角度をなして発光素子光源から放射された光のみならず、発光素子光源の光軸と大きい角度をなして発光素子光源から放射された光も、導光レンズの入射面によって、発光素子光源の光軸から遠ざかる側に屈折せしめられる。
【００１０】
そのため、特開平１０−８２９１５号公報に記載された照明装置では、導光レンズの出射面から照射される光によって形成される配光パターンの縁部付近の光度（輝度）が低くなってしまい、配光パターンの縁部の輪郭が不明瞭になってしまう。
【００１１】
換言すれば、特開平１０−８２９１５号公報に記載された照明装置では、導光レンズの出射面からの光の一部が、配光パターンの縁部の外側にグレア光となって照射されてしまうおそれがある。
【００１２】
前記問題点に鑑み、本発明は、導光レンズの出射面から発光素子光源の光軸上に照射される光の光度を低くすると共に、導光レンズの出射面から照射される光によって形成される配光パターンの縁部の輪郭を明瞭にすることができる照明装置および検出装置を提供することを目的とする。
【課題を解決するための手段】
【００１３】
請求項１に記載の発明によれば、発光素子光源（１）から放射された光（Ｌ０１ａ１，Ｌ０７ａ１）が、導光レンズ（２）の入射面（２ａ）を介して導光レンズ（２）内に入射し、導光レンズ（２）によって導光され、導光レンズ（２）の出射面（２ｂ）を介して照明装置の照射方向に照射されるように構成された照明装置（１０）において、発光素子光源（１）の光軸（１’）に対して概略垂直な平面によって導光レンズ（２）の出射面（２ｂ）を形成し、発光素子光源（１）の側に頂点（２ａ１ａ）を有する２次曲線（２ａ１）を、発光素子光源（１）の光軸（１’）を中心に回転させることにより得られる曲面によって、導光レンズ（２）の入射面（２ａ）を形成し、２次曲線（２ａ１）の頂点（２ａ１ａ）を発光素子光源（１）の発光面（１ａ）の外縁部（１ａ１）よりも発光素子光源（１）の光軸（１’）から遠い位置に配置すると共に、２次曲線（２ａ１）の頂点（２ａ１ａ）を発光素子光源（１）の発光面（１ａ）よりも導光レンズ（２）の出射面（２ｂ）に近い位置に配置し、導光レンズ（２）の入射面（２ａ）のうち、２次曲線（２ａ１）の頂点（２ａ１ａ）よりも発光素子光源（１）の光軸（１’）に近い部分を介して入射した発光素子光源（１）からの光（Ｌ０１ａ１）が、導光レンズ（２）の入射面（２ａ）によって、発光素子光源（１）の光軸（１’）から遠ざかる側に屈折せしめられ、導光レンズ（２）の入射面（２ａ）のうち、２次曲線（２ａ１）の頂点（２ａ１ａ）よりも発光素子光源（１）の光軸（１’）から遠い部分を介して入射した発光素子光源（１）からの光（Ｌ０７ａ１）が、導光レンズ（２）の入射面（２ａ）によって、発光素子光源（１）の光軸（１’）に近づく側に屈折せしめられることを特徴とする照明装置（１０）が提供される。
【００１４】
請求項２に記載の発明によれば、第１端点（Ｕ）、第２端点（Ｓ）および制御点（Ｖ）の座標値によって定義される２次ベジェ曲線によって２次曲線（２ａ１）を設定し、第１端点（Ｕ）を発光素子光源（１）の光軸（１’）上に設定し、制御点（Ｖ）を、発光素子光源（１）の発光面（１ａ）よりも導光レンズ（２）の出射面（２ｂ）に近い位置に設定すると共に、発光素子光源（１）の発光面（１ａ）の外縁部（１ａ１）よりも発光素子光源（１）の光軸（１’）に近い位置に設定し、第２端点（Ｓ）を、制御点（Ｖ）よりも導光レンズ（２）の出射面（２ｂ）に近い位置に設定すると共に、発光素子光源（１）の発光面（１ａ）の外縁部（１ａ１）よりも発光素子光源（１）の光軸（１’）から遠い位置に設定したことを特徴とする請求項１に記載の照明装置（１０）が提供される。
【００１５】
請求項３に記載の発明によれば、導光レンズ（２）の入射面（２ａ）のうち、発光素子光源（１）の光軸（１’）を中心とする半径約０．２ｍｍの部分を、平面によって形成したことを特徴とする請求項２に記載の照明装置（１０）が提供される。
【００１６】
請求項４に記載の発明によれば、導光レンズ（２）の入射面（２ａ）のうち、発光素子光源（１）の光軸（１’）を中心とする半径約０．２ｍｍの部分を、球状面によって形成したことを特徴とする請求項２に記載の照明装置（１０）が提供される。
【００１７】
請求項５に記載の発明によれば、発光部（１０ａ）の発光素子光源（１）から放射された光（ＬＦａ１，ＬＦｂ１，ＬＦｃ１）が、発光部（１０ａ）の導光レンズ（２）の入射面（２ａ）を介して発光部（１０ａ）の導光レンズ（２）内に入射し、発光部（１０ａ）の導光レンズ（２）によって導光され、発光部（１０ａ）の導光レンズ（２）の出射面（２ｂ）を介して発光部（１０ａ）の照射方向に照射され、発光部（１０ａ）の導光レンズ（２）の出射面（２ｂ）から照射された光（ＬＦａ３）の反射光（ＬＲａ１）が、受光部（１０ｂ）の導光レンズ（１２）の入射面（１２ａ）を介して受光部（１０ｂ）の導光レンズ（１２）内に入射し、受光部（１０ｂ）の導光レンズ（１２）によって導光され、受光部（１０ｂ）の導光レンズ（１２）の出射面（１２ｂ）およびカメラレンズ（１３）を介して受光素子（１１）に受光されるように構成された検出装置（２０）において、発光部（１０ａ）の発光素子光源（１）の光軸（１’）に対して概略垂直な平面によって発光部（１０ａ）の導光レンズ（２）の出射面（２ｂ）を形成し、発光部（１０ａ）の発光素子光源（１）の側に頂点（２ａ１ａ）を有する２次曲線（２ａ１）を、発光部（１０ａ）の発光素子光源（１）の光軸（１’）を中心に回転させることにより得られる曲面によって、発光部（１０ａ）の導光レンズ（２）の入射面（２ａ）を形成し、２次曲線（２ａ１）の頂点（２ａ１ａ）を発光部（１０ａ）の発光素子光源（１）の発光面（１ａ）の外縁部（１ａ１）よりも発光部（１０ａ）の発光素子光源（１）の光軸（１’）から遠い位置に配置すると共に、２次曲線（２ａ１）の頂点（２ａ１ａ）を発光部（１０ａ）の発光素子光源（１）の発光面（１ａ）よりも発光部（１０ａ）の導光レンズ（２）の出射面（２ｂ）に近い位置に配置し、発光部（１０ａ）の導光レンズ（２）の出射面（２ｂ）と受光部（１０ｂ）の導光レンズ（１２）の入射面（１２ａ）とを同一平面上に配置し、受光部（１０ｂ）の導光レンズ（１２）の出射面（１２ｂ）を発光部（１０ａ）の導光レンズ（２）の入射面（２ａ）よりも受光部（１０ｂ）の導光レンズ（１２）の入射面（１２ａ）に近い位置に配置し、受光部（１０ｂ）の受光素子（１１）に近づく側に発光部（１０ａ）の導光レンズ（２）内を進む光（ＬＦｂ２）を受光部（１０ｂ）の受光素子（１１）から遠ざかる側に反射するための反射面（２ｃ）を発光部（１０ａ）の導光レンズ（２）の入射面（２ａ）と出射面（２ｂ）との間に形成し、発光部（１０ａ）の導光レンズ（２）の入射面（２ａ）のうち、２次曲線（２ａ１）の頂点（２ａ１ａ）よりも発光部（１０ａ）の発光素子光源（１）の光軸（１’）に近い部分を介して入射した発光部（１０ａ）の発光素子光源（１）からの光が、発光部（１０ａ）の導光レンズ（２）の入射面（２ａ）によって、発光部（１０ａ）の発光素子光源（１）の光軸（１’）から遠ざかる側に屈折せしめられ、発光部（１０ａ）の導光レンズ（２）の入射面（２ａ）のうち、２次曲線（２ａ１）の頂点（２ａ１ａ）よりも発光部（１０ａ）の発光素子光源（１）の光軸（１’）から遠い部分を介して入射した発光部（１０ａ）の発光素子光源（１）からの光が、発光部（１０ａ）の導光レンズ（２）の入射面（２ａ）によって、発光部（１０ａ）の発光素子光源（１）の光軸（１’）に近づく側に屈折せしめられることを特徴とする検出装置（２０）が提供される。
【００１８】
請求項６に記載の発明によれば、発光部（１０ａ）の導光レンズ（２）の出射面（２ｂ）から発光部（１０ａ）の発光素子光源（１）の光軸（１’）と角度をなして照射される光の光度が、発光部（１０ａ）の導光レンズ（２）の出射面（２ｂ）から発光部（１０ａ）の発光素子光源（１）の光軸（１’）上に照射される光の光度よりも高くなるように、発光部（１０ａ）の導光レンズ（２）の入射面（２ａ）を設定したことを特徴とする請求項５に記載の検出装置（２０）が提供される。
【発明の効果】
【００１９】
請求項１及び２に記載の照明装置（１０）では、発光素子光源（１）から放射された光（Ｌ０１ａ１，Ｌ０７ａ１）が、導光レンズ（２）の入射面（２ａ）を介して導光レンズ（２）内に入射し、導光レンズ（２）によって導光され、導光レンズ（２）の出射面（２ｂ）を介して照明装置の照射方向に照射される。
【００２０】
詳細には、請求項１及び２に記載の照明装置（１０）では、発光素子光源（１）の光軸（１’）に対して概略垂直な平面によって導光レンズ（２）の出射面（２ｂ）が形成されている。更に、発光素子光源（１）の側に頂点（２ａ１ａ）を有する２次曲線（２ａ１）を、発光素子光源（１）の光軸（１’）を中心に回転させることにより得られる曲面によって、導光レンズ（２）の入射面（２ａ）が形成されている。
【００２１】
また、請求項１及び２に記載の照明装置（１０）では、２次曲線（２ａ１）の頂点（２ａ１ａ）が、発光素子光源（１）の発光面（１ａ）の外縁部（１ａ１）よりも発光素子光源（１）の光軸（１’）から遠い位置に配置されている。更に、２次曲線（２ａ１）の頂点（２ａ１ａ）が、発光素子光源（１）の発光面（１ａ）よりも導光レンズ（２）の出射面（２ｂ）に近い位置に配置されている。
【００２２】
その結果、請求項１及び２に記載の照明装置（１０）では、導光レンズ（２）の入射面（２ａ）のうち、２次曲線（２ａ１）の頂点（２ａ１ａ）よりも発光素子光源（１）の光軸（１’）に近い部分を介して入射した発光素子光源（１）からの光（Ｌ０１ａ１）が、導光レンズ（２）の入射面（２ａ）によって、発光素子光源（１）の光軸（１’）から遠ざかる側に屈折せしめられる。
【００２３】
そのため、請求項１及び２に記載の照明装置（１０）によれば、導光レンズ（２）の入射面（２ａ）のうち発光素子光源（１）の光軸（１’）に近い部分を介して入射した発光素子光源（１）からの光（Ｌ０１ａ１）が導光レンズ（２）の入射面（２ａ）によって発光素子光源（１）の光軸（１’）から遠ざかる側に屈折せしめられない場合よりも、導光レンズ（２）の出射面（２ｂ）から発光素子光源（１）の光軸（１’）上に照射される光の光度を低くすることができる。
【００２４】
詳細には、請求項１及び２に記載の照明装置（１０）によれば、導光レンズ（２）の出射面（２ｂ）から発光素子光源（１）の光軸（１’）上に照射される光の光度を、導光レンズ（２）の出射面（２ｂ）から発光素子光源（１）の光軸（１’）と角度をなして照射される光の光度と等しくするか、あるいは、それよりも低くすることができる。
【００２５】
換言すれば、請求項１及び２に記載の照明装置（１０）によれば、導光レンズ（２）の出射面（２ｂ）から発光素子光源（１）の光軸（１’）と角度をなして照射される光の光度を、導光レンズ（２）の出射面（２ｂ）から発光素子光源（１）の光軸（１’）上に照射される光の光度と等しくするか、あるいは、それよりも高くすることができる。
【００２６】
更に、請求項１及び２に記載の照明装置（１０）では、導光レンズ（２）の入射面（２ａ）のうち、２次曲線（２ａ１）の頂点（２ａ１ａ）よりも発光素子光源（１）の光軸（１’）から遠い部分を介して入射した発光素子光源（１）からの光（Ｌ０７ａ１）が、導光レンズ（２）の入射面（２ａ）によって、発光素子光源（１）の光軸（１’）に近づく側に屈折せしめられる。
【００２７】
そのため、請求項１及び２に記載の照明装置（１０）によれば、導光レンズ（２）の出射面（２ｂ）から照射される光によって形成される配光パターン（Ｐ）の縁部（Ｐ１）付近における光度の立下りを急峻にすることができる。
【００２８】
換言すれば、請求項１及び２に記載の照明装置（１０）によれば、導光レンズ（２）の出射面（２ｂ）から照射される光によって形成される配光パターン（Ｐ）の縁部（Ｐ１）の輪郭を明瞭にすることができる。
【００２９】
つまり、請求項１及び２に記載の照明装置（１０）によれば、導光レンズ（２）の出射面（２ｂ）からの光の一部が配光パターン（Ｐ）の縁部（Ｐ１）の外側にグレア光となって照射されてしまうおそれを低減することができる。
【００３０】
好ましくは、請求項１及び２に記載の照明装置（１０）では、第１端点（Ｕ）、第２端点（Ｓ）および制御点（Ｖ）の座標値によって定義される２次ベジェ曲線によって２次曲線（２ａ１）が設定されている。
【００３１】
詳細には、請求項１及び２に記載の照明装置（１０）では、第１端点（Ｕ）が発光素子光源（１）の光軸（１’）上に設定されている。また、制御点（Ｖ）が、発光素子光源（１）の発光面（１ａ）よりも導光レンズ（２）の出射面（２ｂ）に近い位置に設定されると共に、発光素子光源（１）の発光面（１ａ）の外縁部（１ａ１）よりも発光素子光源（１）の光軸（１’）に近い位置に設定されている。
【００３２】
更に、請求項１及び２に記載の照明装置（１０）では、第２端点（Ｓ）が、制御点（Ｖ）よりも導光レンズ（２）の出射面（２ｂ）に近い位置に設定されると共に、発光素子光源（１）の発光面（１ａ）の外縁部（１ａ１）よりも発光素子光源（１）の光軸（１’）から遠い位置に設定されている。
【００３３】
請求項３に記載の照明装置（１０）では、導光レンズ（２）の入射面（２ａ）のうち、発光素子光源（１）の光軸（１’）を中心とする半径約０．２ｍｍの部分が、平面によって形成されている。
【００３４】
請求項４に記載の照明装置（１０）では、導光レンズ（２）の入射面（２ａ）のうち、発光素子光源（１）の光軸（１’）を中心とする半径約０．２ｍｍの部分が、球状面によって形成されている。
【００３５】
そのため、請求項３及び４に記載の照明装置（１０）によれば、導光レンズ（２）の入射面（２ａ）のうち発光素子光源（１）の光軸（１’）を中心とする半径約０．２ｍｍの部分が、発光素子光源（１）の光軸（１’）を中心に２次曲線（２ａ１）を回転させることにより得られる曲面によって形成される場合とほぼ同等に、導光レンズ（２）の出射面（２ｂ）から発光素子光源（１）の光軸（１’）上に照射される光の光度を低くすることができる。
【００３６】
更に、請求項３及び４に記載の照明装置（１０）によれば、導光レンズ（２）の入射面（２ａ）のうち発光素子光源（１）の光軸（１’）を中心とする半径約０．２ｍｍの部分が、発光素子光源（１）の光軸（１’）を中心に２次曲線（２ａ１）を回転させることにより得られる曲面によって形成される場合よりも、例えば樹脂材料などによる導光レンズ（２）の成形性を向上させることができる。
【００３７】
請求項５に記載の検出装置（２０）では、発光部（１０ａ）の発光素子光源（１）から放射された光（ＬＦａ１，ＬＦｂ１，ＬＦｃ１）が、発光部（１０ａ）の導光レンズ（２）の入射面（２ａ）を介して発光部（１０ａ）の導光レンズ（２）内に入射し、発光部（１０ａ）の導光レンズ（２）によって導光され、発光部（１０ａ）の導光レンズ（２）の出射面（２ｂ）を介して発光部（１０ａ）の照射方向に照射される。更に、発光部（１０ａ）の導光レンズ（２）の出射面（２ｂ）から照射された光（ＬＦａ３）の反射光（ＬＲａ１）が、受光部（１０ｂ）の導光レンズ（１２）の入射面（１２ａ）を介して受光部（１０ｂ）の導光レンズ（１２）内に入射し、受光部（１０ｂ）の導光レンズ（１２）によって導光され、受光部（１０ｂ）の導光レンズ（１２）の出射面（１２ｂ）およびカメラレンズ（１３）を介して受光素子（１１）に受光される。
【００３８】
詳細には、請求項５に記載の検出装置（２０）では、発光部（１０ａ）の発光素子光源（１）の光軸（１’）に対して概略垂直な平面によって発光部（１０ａ）の導光レンズ（２）の出射面（２ｂ）が形成されている。更に、発光部（１０ａ）の発光素子光源（１）の側に頂点（２ａ１ａ）を有する２次曲線（２ａ１）を、発光部（１０ａ）の発光素子光源（１）の光軸（１’）を中心に回転させることにより得られる曲面によって、発光部（１０ａ）の導光レンズ（２）の入射面（２ａ）が形成されている。
【００３９】
また、請求項５に記載の検出装置（２０）では、２次曲線（２ａ１）の頂点（２ａ１ａ）が、発光部（１０ａ）の発光素子光源（１）の発光面（１ａ）の外縁部（１ａ１）よりも発光部（１０ａ）の発光素子光源（１）の光軸（１’）から遠い位置に配置されている。更に、２次曲線（２ａ１）の頂点（２ａ１ａ）が、発光部（１０ａ）の発光素子光源（１）の発光面（１ａ）よりも発光部（１０ａ）の導光レンズ（２）の出射面（２ｂ）に近い位置に配置されている。
【００４０】
その結果、請求項５に記載の検出装置（２０）では、発光部（１０ａ）の導光レンズ（２）の入射面（２ａ）のうち、２次曲線（２ａ１）の頂点（２ａ１ａ）よりも発光部（１０ａ）の発光素子光源（１）の光軸（１’）に近い部分を介して入射した発光部（１０ａ）の発光素子光源（１）からの光が、発光部（１０ａ）の導光レンズ（２）の入射面（２ａ）によって、発光部（１０ａ）の発光素子光源（１）の光軸（１’）から遠ざかる側に屈折せしめられる。
【００４１】
そのため、請求項５に記載の検出装置（２０）によれば、発光部（１０ａ）の導光レンズ（２）の入射面（２ａ）のうち発光部（１０ａ）の発光素子光源（１）の光軸（１’）に近い部分を介して入射した発光部（１０ａ）の発光素子光源（１）からの光が発光部（１０ａ）の導光レンズ（２）の入射面（２ａ）によって発光部（１０ａ）の発光素子光源（１）の光軸（１’）から遠ざかる側に屈折せしめられない場合よりも、発光部（１０ａ）の導光レンズ（２）の出射面（２ｂ）から発光部（１０ａ）の発光素子光源（１）の光軸（１’）上に照射される光の光度を低くすることができる。
【００４２】
詳細には、請求項５に記載の検出装置（２０）によれば、発光部（１０ａ）の導光レンズ（２）の出射面（２ｂ）から発光部（１０ａ）の発光素子光源（１）の光軸（１’）上に照射される光の光度を、発光部（１０ａ）の導光レンズ（２）の出射面（２ｂ）から発光部（１０ａ）の発光素子光源（１）の光軸（１’）と角度をなして照射される光の光度と等しくするか、あるいは、それよりも低くすることができる。
【００４３】
換言すれば、請求項５に記載の検出装置（２０）によれば、発光部（１０ａ）の導光レンズ（２）の出射面（２ｂ）から発光部（１０ａ）の発光素子光源（１）の光軸（１’）と角度をなして照射される光の光度を、発光部（１０ａ）の導光レンズ（２）の出射面（２ｂ）から発光部（１０ａ）の発光素子光源（１）の光軸（１’）上に照射される光の光度と等しくするか、あるいは、それよりも高くすることができる。
【００４４】
更に、請求項５に記載の検出装置（２０）では、発光部（１０ａ）の導光レンズ（２）の入射面（２ａ）のうち、２次曲線（２ａ１）の頂点（２ａ１ａ）よりも発光部（１０ａ）の発光素子光源（１）の光軸（１’）から遠い部分を介して入射した発光部（１０ａ）の発光素子光源（１）からの光が、発光部（１０ａ）の導光レンズ（２）の入射面（２ａ）によって、発光部（１０ａ）の発光素子光源（１）の光軸（１’）に近づく側に屈折せしめられる。
【００４５】
そのため、請求項５に記載の検出装置（２０）によれば、発光部（１０ａ）の導光レンズ（２）の出射面（２ｂ）から照射される光によって形成される配光パターン（Ｐ）の縁部（Ｐ１）付近における光度の立下りを急峻にすることができる。
【００４６】
換言すれば、請求項５に記載の検出装置（２０）によれば、発光部（１０ａ）の導光レンズ（２）の出射面（２ｂ）から照射される光によって形成される配光パターン（Ｐ）の縁部（Ｐ１）の輪郭を明瞭にすることができる。
【００４７】
つまり、請求項５に記載の検出装置（２０）によれば、発光部（１０ａ）の導光レンズ（２）の出射面（２ｂ）からの光の一部が、配光パターン（Ｐ）の縁部（Ｐ１）の外側にグレア光となって照射され、受光部（１０ｂ）の受光素子（１１）によって受光されてしまうおそれを低減することができる。
【００４８】
更に、請求項５に記載の検出装置（２０）では、発光部（１０ａ）の導光レンズ（２）の出射面（２ｂ）と受光部（１０ｂ）の導光レンズ（１２）の入射面（１２ａ）とが同一平面上に配置されている。また、受光部（１０ｂ）の導光レンズ（１２）の出射面（１２ｂ）が、発光部（１０ａ）の導光レンズ（２）の入射面（２ａ）よりも受光部（１０ｂ）の導光レンズ（１２）の入射面（１２ａ）に近い位置に配置されている。更に、受光部（１０ｂ）の受光素子（１１）に近づく側に発光部（１０ａ）の導光レンズ（２）内を進む光（ＬＦｂ２）を受光部（１０ｂ）の受光素子（１１）から遠ざかる側に反射するための反射面（２ｃ）が、発光部（１０ａ）の導光レンズ（２）の入射面（２ａ）と出射面（２ｂ）との間に形成されている。
【００４９】
その結果、請求項５に記載の検出装置（２０）では、受光部（１０ｂ）の受光素子（１１）に近づく側に発光部（１０ａ）の導光レンズ（２）内を進む光（ＬＦｂ２）が、発光部（１０ａ）の導光レンズ（２）の反射面（２ｃ）によって、受光部（１０ｂ）の受光素子（１１）から遠ざかる側に反射される。
【００５０】
そのため、請求項５に記載の検出装置（２０）によれば、受光部（１０ｂ）の受光素子（１１）に近づく側に発光部（１０ａ）の導光レンズ（２）内を進む光（ＬＦｂ２）が受光部（１０ｂ）の受光素子（１１）に受光されてしまうおそれを低減することができる。
【００５１】
受光部（１０ｂ）の受光素子（１１）の画角が広角に設定されている場合には、受光部（１０ｂ）の受光素子（１１）の光軸（１１’）と大きい角度をなす光に対する受光部（１０ｂ）の受光素子（１１）の感度が、受光部（１０ｂ）の受光素子（１１）の光軸（１１’）と小さい角度をなす光に対する受光部（１０ｂ）の受光素子（１１）の感度よりも低くなってしまう傾向がある。
【００５２】
この点に鑑み、請求項６に記載の検出装置（２０）では、発光部（１０ａ）の導光レンズ（２）の出射面（２ｂ）から発光部（１０ａ）の発光素子光源（１）の光軸（１’）と角度をなして照射される光の光度が、発光部（１０ａ）の導光レンズ（２）の出射面（２ｂ）から発光部（１０ａ）の発光素子光源（１）の光軸（１’）上に照射される光の光度よりも高くなるように、発光部（１０ａ）の導光レンズ（２）の入射面（２ａ）が設定されている。
【００５３】
つまり、請求項６に記載の検出装置（２０）では、発光部（１０ａ）の導光レンズ（２）の出射面（２ｂ）から発光部（１０ａ）の発光素子光源（１）の光軸（１’）と角度をなして照射される光の光度と発光部（１０ａ）の導光レンズ（２）の出射面（２ｂ）から発光部（１０ａ）の発光素子光源（１）の光軸（１’）上に照射される光の光度とが等しくなるように発光部（１０ａ）の導光レンズ（２）の入射面（２ａ）が設定されている場合よりも、受光部（１０ｂ）の受光素子（１１）の光軸（１１’）と大きい角度をなして受光部（１０ｂ）の受光素子（１１）に受光される反射光の光度が強くされている。
【００５４】
そのため、請求項６に記載の検出装置（２０）によれば、受光部（１０ｂ）の受光素子（１１）の光軸（１１’）と小さい角度をなす光と同様に、受光部（１０ｂ）の受光素子（１１）の光軸（１１’）と大きい角度をなす光を受光部（１０ｂ）の受光素子（１１）によって感度良く受光することができる。
【図面の簡単な説明】
【００５５】
【図１】第１の実施形態の照明装置１０の断面図である。
【図２】第１の実施形態の照明装置１０の光路図である。
【図３】第１の実施形態の照明装置１０の光路図である。
【図４】第１の実施形態の照明装置１０の光路図である。
【図５】第１の実施形態の照明装置１０の光路図である。
【図６】照明装置１０の導光レンズ２の出射面２ｂから照射される光の配光特性図である。
【図７】照明装置１０の導光レンズ２の出射面２ｂから照射される光の配光特性図である。
【図８】照明装置１０の導光レンズ２の出射面２ｂから照射される光の配光特性図である。
【図９】第１の実施形態の照明装置１０の特徴を表した光路図である。
【図１０】第１の実施形態の照明装置１０の導光レンズ２の出射面２ｂから照射される光によって形成される配光パターンＰを示した図である。
【図１１】第１の実施形態の照明装置１０の導光レンズ２の入射面２ａと、第２の実施形態の照明装置１０の導光レンズ２の入射面２ａと、第３の実施形態の照明装置１０の導光レンズ２の入射面２ａとを比較して示した図である。
【図１２】第４の実施形態の照明装置１０の断面図である。
【図１３】第４の実施形態の照明装置１０全体の配光特性図である。
【図１４】第４の実施形態の照明装置１０の特徴を表した光路図である。
【図１５】第４の実施形態の照明装置１０の導光レンズ２の出射面２ｂから照射される光によって形成される配光パターンＰを示した図である。
【図１６】第４の実施形態の照明装置１０の導光レンズ２の入射面２ａと、第５の実施形態の照明装置１０の導光レンズ２の入射面２ａと、第６の実施形態の照明装置１０の導光レンズ２の入射面２ａとを比較して示した図である。
【図１７】第１の実施形態の照明装置（発光部１０ａ）を検出装置２０に適用した例を示した図である。
【発明を実施するための形態】
【００５６】
以下、本発明の照明装置の第１の実施形態について説明する。図１は第１の実施形態の照明装置１０の断面図である。詳細には、図１は照明装置１０の光軸１０’を含む平面によって第１の実施形態の照明装置１０を切断した断面図である。図２〜図５は第１の実施形態の照明装置１０の光路図である。
【００５７】
詳細には、図２（Ａ）は照明装置１０の光軸１０’に平行に発光素子光源１から放射された光Ｌ００ａ１，Ｌ００ｂ１，Ｌ００ｃ１，Ｌ００ｄ１，Ｌ００ｅ１の光路図である。図２（Ｂ）は照明装置１０の光軸１０’と１０°の角度をなして発光素子光源１から放射された光Ｌ０１ａ１，Ｌ０１ｂ１，Ｌ０１ｃ１，Ｌ０１ｅ１の光路図である。図３（Ａ）は照明装置１０の光軸１０’と２０°の角度をなして発光素子光源１から放射された光Ｌ０２ａ１，Ｌ０２ｂ１，Ｌ０２ｃ１，Ｌ０２ｄ１，Ｌ０２ｅ１の光路図である。図３（Ｂ）は照明装置１０の光軸１０’と３０°の角度をなして発光素子光源１から放射された光Ｌ０３ａ１，Ｌ０３ｂ１，Ｌ０３ｃ１，Ｌ０３ｄ１の光路図である。
【００５８】
更に、図４（Ａ）は照明装置１０の光軸１０’と４０°の角度をなして発光素子光源１から放射された光Ｌ０４ａ１，Ｌ０４ｂ１，Ｌ０４ｃ１，Ｌ０４ｄ１の光路図である。図４（Ｂ）は照明装置１０の光軸１０’と５０°の角度をなして発光素子光源１から放射された光Ｌ０５ａ１，Ｌ０５ｂ１，Ｌ０５ｃ１，Ｌ０５ｄ１の光路図である。図５（Ａ）は照明装置１０の光軸１０’と６０°の角度をなして発光素子光源１から放射された光Ｌ０６ａ１，Ｌ０６ｂ１，Ｌ０６ｃ１，Ｌ０６ｄ１の光路図である。図５（Ｂ）は照明装置１０の光軸１０’と７０°の角度をなして発光素子光源１から放射された光Ｌ０７ａ１，Ｌ０７ｂ１，Ｌ０７ｃ１，Ｌ０７ｄ１，Ｌ０７ｅ１の光路図である。
【００５９】
図６〜図８は照明装置１０の導光レンズ２の出射面２ｂから照射される光の配光特性図である。詳細には、図６（Ａ）は照明装置１０の光軸１０’に平行に発光素子光源１から放射され、導光レンズ２によって導光され、導光レンズ２の出射面２ｂから照射される光の配光特性図である。つまり、図６（Ａ）は照明装置１０の光軸１０’に平行に発光素子光源１から放射され、導光レンズ２によって導光され、導光レンズ２の出射面２ｂから照射される光の光度と、その光と照明装置１０の光軸１０’とがなす角度（°）との関係を示している。図６（Ｂ）は照明装置１０の光軸１０’と１０°の角度をなして発光素子光源１から放射され、導光レンズ２によって導光され、導光レンズ２の出射面２ｂから照射される光の配光特性図である。つまり、図６（Ｂ）は照明装置１０の光軸１０’と１０°の角度をなして発光素子光源１から放射され、導光レンズ２によって導光され、導光レンズ２の出射面２ｂから照射される光の光度と、その光と照明装置１０の光軸１０’とがなす角度（°）との関係を示している。
【００６０】
また、図６（Ｃ）は照明装置１０の光軸１０’と２０°の角度をなして発光素子光源１から放射され、導光レンズ２によって導光され、導光レンズ２の出射面２ｂから照射される光の配光特性図である。つまり、図６（Ｃ）は照明装置１０の光軸１０’と２０°の角度をなして発光素子光源１から放射され、導光レンズ２によって導光され、導光レンズ２の出射面２ｂから照射される光の光度と、その光と照明装置１０の光軸１０’とがなす角度（°）との関係を示している。図６（Ｄ）は照明装置１０の光軸１０’と３０°の角度をなして発光素子光源１から放射され、導光レンズ２によって導光され、導光レンズ２の出射面２ｂから照射される光の配光特性図である。つまり、図６（Ｄ）は照明装置１０の光軸１０’と３０°の角度をなして発光素子光源１から放射され、導光レンズ２によって導光され、導光レンズ２の出射面２ｂから照射される光の光度と、その光と照明装置１０の光軸１０’とがなす角度（°）との関係を示している。
【００６１】
更に、図７（Ａ）は照明装置１０の光軸１０’と４０°の角度をなして発光素子光源１から放射され、導光レンズ２によって導光され、導光レンズ２の出射面２ｂから照射される光の配光特性図である。つまり、図７（Ａ）は照明装置１０の光軸１０’と４０°の角度をなして発光素子光源１から放射され、導光レンズ２によって導光され、導光レンズ２の出射面２ｂから照射される光の光度と、その光と照明装置１０の光軸１０’とがなす角度（°）との関係を示している。図７（Ｂ）は照明装置１０の光軸１０’と５０°の角度をなして発光素子光源１から放射され、導光レンズ２によって導光され、導光レンズ２の出射面２ｂから照射される光の配光特性図である。つまり、図７（Ｂ）は照明装置１０の光軸１０’と５０°の角度をなして発光素子光源１から放射され、導光レンズ２によって導光され、導光レンズ２の出射面２ｂから照射される光の光度と、その光と照明装置１０の光軸１０’とがなす角度（°）との関係を示している。
【００６２】
また、図７（Ｃ）は照明装置１０の光軸１０’と６０°の角度をなして発光素子光源１から放射され、導光レンズ２によって導光され、導光レンズ２の出射面２ｂから照射される光の配光特性図である。つまり、図７（Ｃ）は照明装置１０の光軸１０’と６０°の角度をなして発光素子光源１から放射され、導光レンズ２によって導光され、導光レンズ２の出射面２ｂから照射される光の光度と、その光と照明装置１０の光軸１０’とがなす角度（°）との関係を示している。図７（Ｄ）は照明装置１０の光軸１０’と７０°の角度をなして発光素子光源１から放射され、導光レンズ２によって導光され、導光レンズ２の出射面２ｂから照射される光の配光特性図である。つまり、図７（Ｄ）は照明装置１０の光軸１０’と７０°の角度をなして発光素子光源１から放射され、導光レンズ２によって導光され、導光レンズ２の出射面２ｂから照射される光の光度と、その光と照明装置１０の光軸１０’とがなす角度（°）との関係を示している。
【００６３】
図８は第１の実施形態の照明装置１０全体の配光特性図である。つまり、図８は発光素子光源１から放射され、導光レンズ２によって導光され、導光レンズ２の出射面２ｂから照射される光の光度と、その光と照明装置１０の光軸１０’とがなす角度（°）との関係を示している。
【００６４】
図９は第１の実施形態の照明装置１０の特徴を表した光路図である。図１０は第１の実施形態の照明装置１０の導光レンズ２の出射面２ｂから照射される光によって形成される配光パターンＰを示した図である。
【００６５】
第１の実施形態の照明装置１０では、図１に示すように、発光素子光源１が基板３上に搭載されている。詳細には、発光素子光源１の枠体１ｃに形成された概略すり鉢状の凹部１ｃ１の底面に、例えばＬＥＤなどのような複数の発光素子１ｂが搭載されている。更に、例えばシリコーン樹脂などのような充填材が枠体１ｃの凹部１ｃ１内に充填されている。好ましくは、発光素子光源１の発光面１ａを均一に発光させるための散乱材が、枠体１ｃの凹部１ｃ１内の充填材に含有せしめられている。また、基板３と導光レンズ２とが例えばハウジング４によって接続されている。第１の実施形態の照明装置１０の変形例では、代わりに、ハウジング４を省略し、導光レンズ２の下面の一部と基板３とを直接接合することも可能である。第１の実施形態の照明装置１０の変形例では、発光素子光源１から放射され、導光レンズ２に入射し、導光レンズ２の側面（外周面）に到達した光が、導光レンズ２の側面（外周面）を介して出射するのではなく、導光レンズ２の側面（外周面）によって全反射され、発光素子光源１の光軸１’に近づく側に進む。
【００６６】
詳細には、第１の実施形態の照明装置１０では、図１に示すように、発光素子光源１の光軸１’に対して概略垂直な平面によって導光レンズ２の出射面２ｂが形成されている。更に、発光素子光源１の側（図１の下側）に頂点２ａ１ａを有する２次曲線（つまり、図１の下に凸の２次曲線）２ａ１を、発光素子光源１の光軸１’を中心に回転させることにより得られる曲面によって、導光レンズ２の入射面２ａの一部が形成されている。更に、例えば、発光素子光源１の光軸１’に対して概略垂直な直線２ａ２を、発光素子光源１の光軸１’を中心に回転させることにより得られる平面によって、導光レンズ２の入射面２ａの残りの部分が形成されている。詳細には、第１の実施形態の照明装置１０では、発光素子光源１から放射された光の大部分が、導光レンズ２の入射面２ａの曲面部分（２ａ１）を介して導光レンズ２内に入射する。
【００６７】
また、第１の実施形態の照明装置１０では、図１に示すように、２次曲線２ａ１の頂点２ａ１ａが、発光素子光源１の発光面１ａの外縁部１ａ１よりも発光素子光源１の光軸１’から遠い位置に配置されている。更に、２次曲線２ａ１の頂点２ａ１ａが、発光素子光源１の発光面１ａよりも導光レンズ２の出射面２ｂに近い位置（図１の上側の位置）に配置されている。
【００６８】
更に、第１の実施形態の照明装置１０では、図１に示すように、第１端点Ｕ、第２端点Ｓおよび制御点Ｖの座標値によって定義される２次ベジェ曲線によって２次曲線２ａ１が設定されている。
【００６９】
詳細には、第１の実施形態の照明装置１０では、図１に示すように、第１端点Ｕが発光素子光源１の光軸１’上に設定されている。また、制御点Ｖが、発光素子光源１の発光面１ａよりも導光レンズ２の出射面２ｂに近い位置（図１の上側の位置）に設定されると共に、発光素子光源１の発光面１ａの外縁部１ａ１よりも発光素子光源１の光軸１’に近い位置に設定されている。
【００７０】
更に、第１の実施形態の照明装置１０では、図１に示すように、第２端点Ｓが、制御点Ｖよりも導光レンズ２の出射面２ｂに近い位置（図１の上側の位置）に設定されると共に、発光素子光源１の発光面１ａの外縁部１ａ１よりも発光素子光源１の光軸１’から遠い位置に設定されている。
【００７１】
詳細には、図１に示す例では、図１に示すようにＸ軸およびＺ軸の原点（０，０）を発光素子光源１上に設定した場合に、第１端点Ｕの座標が（０，３．９）に設定され、第２端点Ｓの座標が（５．０，２．６１５）に設定され、制御点Ｖの座標が（０．４，２．４）に設定され、２次曲線２ａ１の頂点２ａ１ａの座標が（２．２９，２．５３）に設定されている。
【００７２】
第１の実施形態の照明装置１０では、図２（Ａ）に示すように、照明装置１０の光軸１０’に平行に発光素子光源１から放射された光Ｌ００ａ１が、導光レンズ２の入射面２ａによって発光素子光源１の光軸１’から遠ざかる側に屈折せしめられる。次いで、導光レンズ２の入射面２ａによって屈折せしめられた光Ｌ００ａ２が、導光レンズ２によって導光され、導光レンズ２の出射面２ｂによって発光素子光源１の光軸１’から遠ざかる側に更に屈折せしめられる。次いで、導光レンズ２の出射面２ｂによって屈折せしめられた光Ｌ００ａ３が、照明装置の照射方向（図２（Ａ）の上側）に照射される。
【００７３】
また、第１の実施形態の照明装置１０では、図２（Ａ）に示すように、照明装置１０の光軸１０’に平行に発光素子光源１から放射された光Ｌ００ｂ１が、導光レンズ２の入射面２ａによって発光素子光源１の光軸１’から遠ざかる側に屈折せしめられる。次いで、導光レンズ２の入射面２ａによって屈折せしめられた光Ｌ００ｂ２が、導光レンズ２によって導光され、導光レンズ２の出射面２ｂによって発光素子光源１の光軸１’から遠ざかる側に更に屈折せしめられる。次いで、導光レンズ２の出射面２ｂによって屈折せしめられた光Ｌ００ｂ３が、照明装置の照射方向（図２（Ａ）の上側）に照射される。
【００７４】
更に、第１の実施形態の照明装置１０では、図２（Ａ）に示すように、照明装置１０の光軸１０’に平行に発光素子光源１から放射された光Ｌ００ｃ１が、導光レンズ２の入射面２ａによって発光素子光源１の光軸１’から遠ざかる側に屈折せしめられる。次いで、導光レンズ２の入射面２ａによって屈折せしめられた光Ｌ００ｃ２が、導光レンズ２によって導光され、導光レンズ２の出射面２ｂによって発光素子光源１の光軸１’から遠ざかる側に更に屈折せしめられる。次いで、導光レンズ２の出射面２ｂによって屈折せしめられた光Ｌ００ｃ３が、照明装置の照射方向（図２（Ａ）の上側）に照射される。
【００７５】
つまり、第１の実施形態の照明装置１０では、図２（Ａ）に示すように、照明装置１０の光軸１０’に平行に発光素子光源１から放射された光Ｌ００ａ１，Ｌ００ｂ１，Ｌ００ｃ１，Ｌ００ｄ１，Ｌ００ｅ１が、導光レンズ２によって導光され、発光素子光源１の光軸１’から遠ざかる側に屈折せしめられた光Ｌ００ａ３，Ｌ００ｂ３，Ｌ００ｃ３，Ｌ００ｄ３，Ｌ００ｅ３となって導光レンズ２の出射面２ｂから照明装置の照射方向（図２（Ａ）の上側）に照射される。その結果、第１の実施形態の照明装置１０では、図２（Ａ）および図６（Ａ）に示すように、導光レンズ２の出射面２ｂから照射される光の光度のピークが、照明装置１０の光軸１０’上に設定されるのではなく、照明装置１０の光軸１０’と約１０°の角度をなす位置に設定される。
【００７６】
更に、第１の実施形態の照明装置１０では、図２（Ｂ）に示すように、照明装置１０の光軸１０’と１０°の角度をなして発光素子光源１から放射された光Ｌ０１ａ１が、導光レンズ２の入射面２ａによって発光素子光源１の光軸１’から遠ざかる側に屈折せしめられる。次いで、導光レンズ２の入射面２ａによって屈折せしめられた光Ｌ０１ａ２が、導光レンズ２によって導光され、導光レンズ２の出射面２ｂによって発光素子光源１の光軸１’から遠ざかる側に更に屈折せしめられる。次いで、導光レンズ２の出射面２ｂによって屈折せしめられた光Ｌ０１ａ３が、照明装置の照射方向（図２（Ｂ）の上側）に照射される。
【００７７】
また、第１の実施形態の照明装置１０では、図２（Ｂ）に示すように、照明装置１０の光軸１０’と１０°の角度をなして発光素子光源１から放射された光Ｌ０１ｂ１が、導光レンズ２の入射面２ａによって発光素子光源１の光軸１’から遠ざかる側に屈折せしめられる。次いで、導光レンズ２の入射面２ａによって屈折せしめられた光Ｌ０１ｂ２が、導光レンズ２によって導光され、導光レンズ２の出射面２ｂによって発光素子光源１の光軸１’から遠ざかる側に更に屈折せしめられる。次いで、導光レンズ２の出射面２ｂによって屈折せしめられた光Ｌ０１ｂ３が、照明装置の照射方向（図２（Ｂ）の上側）に照射される。
【００７８】
つまり、第１の実施形態の照明装置１０では、図２（Ｂ）に示すように、照明装置１０の光軸１０’と１０°の角度をなして発光素子光源１から放射された光Ｌ０１ａ１，Ｌ０１ｂ１，Ｌ０１ｃ１，Ｌ０１ｅ１が、導光レンズ２によって導光され、発光素子光源１の光軸１’から遠ざかる側に屈折せしめられた光Ｌ０１ａ３，Ｌ０１ｂ３，Ｌ０１ｃ３，Ｌ０１ｅ３となって導光レンズ２の出射面２ｂから照明装置の照射方向（図２（Ｂ）の上側）に照射される。その結果、第１の実施形態の照明装置１０では、図２（Ｂ）および図６（Ｂ）に示すように、導光レンズ２の出射面２ｂから照射される光の光度のピークが、照明装置１０の光軸１０’と約１０°の角度をなす位置に設定されるのではなく、照明装置１０の光軸１０’と約１７°の角度をなす位置に設定される。
【００７９】
更に、第１の実施形態の照明装置１０では、図３（Ａ）に示すように、照明装置１０の光軸１０’と２０°の角度をなして発光素子光源１から放射された光Ｌ０２ａ１が、導光レンズ２の入射面２ａによって発光素子光源１の光軸１’から遠ざかる側に屈折せしめられる。次いで、導光レンズ２の入射面２ａによって屈折せしめられた光Ｌ０２ａ２が、導光レンズ２によって導光され、導光レンズ２の出射面２ｂによって発光素子光源１の光軸１’から遠ざかる側に更に屈折せしめられる。次いで、導光レンズ２の出射面２ｂによって屈折せしめられた光Ｌ０２ａ３が、照明装置の照射方向（図３（Ａ）の上側）に照射される。
【００８０】
また、第１の実施形態の照明装置１０では、図３（Ａ）に示すように、照明装置１０の光軸１０’と２０°の角度をなして発光素子光源１から放射された光Ｌ０２ｄ１が、導光レンズ２の入射面２ａによって発光素子光源１の光軸１’から遠ざかる側に屈折せしめられる。次いで、導光レンズ２の入射面２ａによって屈折せしめられた光Ｌ０２ｄ２が、導光レンズ２によって導光され、導光レンズ２の出射面２ｂによって発光素子光源１の光軸１’から遠ざかる側に更に屈折せしめられる。次いで、導光レンズ２の出射面２ｂによって屈折せしめられた光Ｌ０２ｄ３が、照明装置の照射方向（図３（Ａ）の上側）に照射される。
【００８１】
つまり、第１の実施形態の照明装置１０では、図３（Ａ）に示すように、照明装置１０の光軸１０’と２０°の角度をなして発光素子光源１から放射された光Ｌ０２ａ１，Ｌ０２ｄ１，Ｌ０２ｅ１が、導光レンズ２によって導光され、発光素子光源１の光軸１’から遠ざかる側に屈折せしめられた光Ｌ０２ａ３，Ｌ０２ｄ３，Ｌ０２ｅ３となって導光レンズ２の出射面２ｂから照明装置の照射方向（図３（Ａ）の上側）に照射される。その結果、第１の実施形態の照明装置１０では、図３（Ａ）および図６（Ｃ）に示すように、導光レンズ２の出射面２ｂから照射される光の光度のピークが、照明装置１０の光軸１０’と約２０°の角度をなす位置に設定されるのではなく、照明装置１０の光軸１０’と約２６°の角度をなす位置に設定される。
【００８２】
更に、第１の実施形態の照明装置１０では、図３（Ｂ）に示すように、照明装置１０の光軸１０’と３０°の角度をなして発光素子光源１から放射された光Ｌ０３ｄ１が、導光レンズ２の入射面２ａによって発光素子光源１の光軸１’から遠ざかる側に屈折せしめられる。次いで、導光レンズ２の入射面２ａによって屈折せしめられた光Ｌ０３ｄ２が、導光レンズ２によって導光され、導光レンズ２の出射面２ｂによって発光素子光源１の光軸１’から遠ざかる側に更に屈折せしめられる。次いで、導光レンズ２の出射面２ｂによって屈折せしめられた光Ｌ０３ｄ３が、照明装置の照射方向（図３（Ｂ）の上側）に照射される。
【００８３】
つまり、第１の実施形態の照明装置１０では、図３（Ｂ）に示すように、照明装置１０の光軸１０’と３０°の角度をなして発光素子光源１から放射された光Ｌ０３ｄ１が、導光レンズ２によって導光され、発光素子光源１の光軸１’から遠ざかる側に屈折せしめられた光Ｌ０３ｄ３となって導光レンズ２の出射面２ｂから照明装置の照射方向（図３（Ｂ）の上側）に照射される。その結果、第１の実施形態の照明装置１０では、図３（Ｂ）および図６（Ｄ）に示すように、導光レンズ２の出射面２ｂから照射される光の光度のピークが、照明装置１０の光軸１０’と約３０°の角度をなす位置に設定されるのではなく、照明装置１０の光軸１０’と約３５°の角度をなす位置に設定される。
【００８４】
更に、第１の実施形態の照明装置１０では、図４（Ａ）に示すように、照明装置１０の光軸１０’と４０°の角度をなして発光素子光源１から放射された光Ｌ０４ａ１が、導光レンズ２の入射面２ａによって発光素子光源１の光軸１’に近づく側に屈折せしめられる。次いで、導光レンズ２の入射面２ａによって屈折せしめられた光Ｌ０４ａ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０４ａ３が、照明装置の照射方向（図４（Ａ）の上側）に照射される。
【００８５】
また、第１の実施形態の照明装置１０では、図４（Ａ）に示すように、照明装置１０の光軸１０’と４０°の角度をなして発光素子光源１から放射された光Ｌ０４ｂ１が、導光レンズ２の入射面２ａによって発光素子光源１の光軸１’に近づく側に屈折せしめられる。次いで、導光レンズ２の入射面２ａによって屈折せしめられた光Ｌ０４ｂ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０４ｂ３が、照明装置の照射方向（図４（Ａ）の上側）に照射される。
【００８６】
更に、第１の実施形態の照明装置１０では、図４（Ａ）に示すように、照明装置１０の光軸１０’と４０°の角度をなして発光素子光源１から放射された光Ｌ０４ｃ１が、導光レンズ２の入射面２ａによって発光素子光源１の光軸１’に近づく側に屈折せしめられる。次いで、導光レンズ２の入射面２ａによって屈折せしめられた光Ｌ０４ｃ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０４ｃ３が、照明装置の照射方向（図４（Ａ）の上側）に照射される。
【００８７】
また、第１の実施形態の照明装置１０では、図４（Ａ）に示すように、照明装置１０の光軸１０’と４０°の角度をなして発光素子光源１から放射された光Ｌ０４ｄ１が、導光レンズ２の入射面２ａによって発光素子光源１の光軸１’に近づく側に屈折せしめられる。次いで、導光レンズ２の入射面２ａによって屈折せしめられた光Ｌ０４ｄ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０４ｄ３が、照明装置の照射方向（図４（Ａ）の上側）に照射される。
【００８８】
つまり、第１の実施形態の照明装置１０では、図４（Ａ）に示すように、照明装置１０の光軸１０’と４０°の角度をなして発光素子光源１から放射された光Ｌ０４ａ１，Ｌ０４ｂ１，Ｌ０４ｃ１，Ｌ０４ｄ１が、導光レンズ２によって導光され、発光素子光源１の光軸１’から遠ざかる側に僅かに屈折せしめられた光Ｌ０４ａ３，Ｌ０４ｂ３，Ｌ０４ｃ３，Ｌ０４ｄ３となって導光レンズ２の出射面２ｂから照明装置の照射方向（図４（Ａ）の上側）に照射される。その結果、第１の実施形態の照明装置１０では、図４（Ａ）および図７（Ａ）に示すように、導光レンズ２の出射面２ｂから照射される光の光度のピークが、照明装置１０の光軸１０’と約４０°の角度をなす位置に設定されるのではなく、照明装置１０の光軸１０’と約４４°の角度をなす位置に設定される。
【００８９】
更に、第１の実施形態の照明装置１０では、図４（Ｂ）に示すように、照明装置１０の光軸１０’と５０°の角度をなして発光素子光源１から放射された光Ｌ０５ａ１が、導光レンズ２の入射面２ａによって発光素子光源１の光軸１’に近づく側に屈折せしめられる。次いで、導光レンズ２の入射面２ａによって屈折せしめられた光Ｌ０５ａ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０５ａ３が、照明装置の照射方向（図４（Ｂ）の上側）に照射される。
【００９０】
また、第１の実施形態の照明装置１０では、図４（Ｂ）に示すように、照明装置１０の光軸１０’と５０°の角度をなして発光素子光源１から放射された光Ｌ０５ｂ１が、導光レンズ２の入射面２ａによって発光素子光源１の光軸１’に近づく側に屈折せしめられる。次いで、導光レンズ２の入射面２ａによって屈折せしめられた光Ｌ０５ｂ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０５ｂ３が、照明装置の照射方向（図４（Ｂ）の上側）に照射される。
【００９１】
更に、第１の実施形態の照明装置１０では、図４（Ｂ）に示すように、照明装置１０の光軸１０’と５０°の角度をなして発光素子光源１から放射された光Ｌ０５ｃ１が、導光レンズ２の入射面２ａによって発光素子光源１の光軸１’に近づく側に屈折せしめられる。次いで、導光レンズ２の入射面２ａによって屈折せしめられた光Ｌ０５ｃ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０５ｃ３が、照明装置の照射方向（図４（Ｂ）の上側）に照射される。
【００９２】
また、第１の実施形態の照明装置１０では、図４（Ｂ）に示すように、照明装置１０の光軸１０’と５０°の角度をなして発光素子光源１から放射された光Ｌ０５ｄ１が、導光レンズ２の入射面２ａによって発光素子光源１の光軸１’に近づく側に屈折せしめられる。次いで、導光レンズ２の入射面２ａによって屈折せしめられた光Ｌ０５ｄ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０５ｄ３が、照明装置の照射方向（図４（Ｂ）の上側）に照射される。
【００９３】
つまり、第１の実施形態の照明装置１０では、図４（Ｂ）に示すように、照明装置１０の光軸１０’と５０°の角度をなして発光素子光源１から放射された光Ｌ０５ａ１，Ｌ０５ｂ１，Ｌ０５ｃ１，Ｌ０５ｄ１が、導光レンズ２によって導光され、発光素子光源１の光軸１’から遠ざかる側に僅かに屈折せしめられた光Ｌ０５ａ３，Ｌ０５ｂ３，Ｌ０５ｃ３，Ｌ０５ｄ３となって導光レンズ２の出射面２ｂから照明装置の照射方向（図４（Ｂ）の上側）に照射される。その結果、第１の実施形態の照明装置１０では、図４（Ｂ）および図７（Ｂ）に示すように、導光レンズ２の出射面２ｂから照射される光の光度のピークが、照明装置１０の光軸１０’と約５０°の角度をなす位置に設定されるのではなく、照明装置１０の光軸１０’と約５２°の角度をなす位置に設定される。
【００９４】
更に、第１の実施形態の照明装置１０では、図５（Ａ）に示すように、照明装置１０の光軸１０’と６０°の角度をなして発光素子光源１から放射された光Ｌ０６ａ１が、導光レンズ２の入射面２ａによって発光素子光源１の光軸１’に近づく側に屈折せしめられる。次いで、導光レンズ２の入射面２ａによって屈折せしめられた光Ｌ０６ａ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０６ａ３が、照明装置の照射方向（図５（Ａ）の上側）に照射される。
【００９５】
また、第１の実施形態の照明装置１０では、図５（Ａ）に示すように、照明装置１０の光軸１０’と６０°の角度をなして発光素子光源１から放射された光Ｌ０６ｂ１が、導光レンズ２の入射面２ａによって発光素子光源１の光軸１’に近づく側に屈折せしめられる。次いで、導光レンズ２の入射面２ａによって屈折せしめられた光Ｌ０６ｂ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０６ｂ３が、照明装置の照射方向（図５（Ａ）の上側）に照射される。
【００９６】
更に、第１の実施形態の照明装置１０では、図５（Ａ）に示すように、照明装置１０の光軸１０’と６０°の角度をなして発光素子光源１から放射された光Ｌ０６ｃ１が、導光レンズ２の入射面２ａによって発光素子光源１の光軸１’に近づく側に屈折せしめられる。次いで、導光レンズ２の入射面２ａによって屈折せしめられた光Ｌ０６ｃ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０６ｃ３が、照明装置の照射方向（図５（Ａ）の上側）に照射される。
【００９７】
また、第１の実施形態の照明装置１０では、図５（Ａ）に示すように、照明装置１０の光軸１０’と６０°の角度をなして発光素子光源１から放射された光Ｌ０６ｄ１が、導光レンズ２の入射面２ａによって発光素子光源１の光軸１’に近づく側に屈折せしめられる。次いで、導光レンズ２の入射面２ａによって屈折せしめられた光Ｌ０６ｄ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０６ｄ３が、照明装置の照射方向（図５（Ａ）の上側）に照射される。
【００９８】
つまり、第１の実施形態の照明装置１０では、図５（Ａ）に示すように、照明装置１０の光軸１０’と６０°の角度をなして発光素子光源１から放射された光Ｌ０６ａ１，Ｌ０６ｂ１，Ｌ０６ｃ１，Ｌ０６ｄ１が、導光レンズ２によって導光され、発光素子光源１の光軸１’から遠ざかる側に僅かに屈折せしめられた光Ｌ０６ａ３，Ｌ０６ｂ３，Ｌ０６ｃ３，Ｌ０６ｄ３となって導光レンズ２の出射面２ｂから照明装置の照射方向（図５（Ａ）の上側）に照射される。その結果、第１の実施形態の照明装置１０では、図５（Ａ）および図７（Ｃ）に示すように、導光レンズ２の出射面２ｂから照射される光の光度のピークが、照明装置１０の光軸１０’と約６０°の角度をなす位置に設定されるのではなく、照明装置１０の光軸１０’と約６１°の角度をなす位置に設定される。
【００９９】
更に、第１の実施形態の照明装置１０では、図５（Ｂ）に示すように、照明装置１０の光軸１０’と７０°の角度をなして発光素子光源１から放射された光Ｌ０７ａ１が、導光レンズ２の入射面２ａによって発光素子光源１の光軸１’に近づく側に屈折せしめられる。次いで、導光レンズ２の入射面２ａによって屈折せしめられた光Ｌ０７ａ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０７ａ３が、照明装置の照射方向（図５（Ｂ）の上側）に照射される。
【０１００】
また、第１の実施形態の照明装置１０では、図５（Ｂ）に示すように、照明装置１０の光軸１０’と７０°の角度をなして発光素子光源１から放射された光Ｌ０７ｂ１が、導光レンズ２の入射面２ａによって発光素子光源１の光軸１’に近づく側に屈折せしめられる。次いで、導光レンズ２の入射面２ａによって屈折せしめられた光Ｌ０７ｂ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０７ｂ３が、照明装置の照射方向（図５（Ｂ）の上側）に照射される。
【０１０１】
更に、第１の実施形態の照明装置１０では、図５（Ｂ）に示すように、照明装置１０の光軸１０’と７０°の角度をなして発光素子光源１から放射された光Ｌ０７ｃ１が、導光レンズ２の入射面２ａによって発光素子光源１の光軸１’に近づく側に屈折せしめられる。次いで、導光レンズ２の入射面２ａによって屈折せしめられた光Ｌ０７ｃ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０７ｃ３が、照明装置の照射方向（図５（Ｂ）の上側）に照射される。
【０１０２】
また、第１の実施形態の照明装置１０では、図５（Ｂ）に示すように、照明装置１０の光軸１０’と７０°の角度をなして発光素子光源１から放射された光Ｌ０７ｄ１が、導光レンズ２の入射面２ａによって発光素子光源１の光軸１’に近づく側に屈折せしめられる。次いで、導光レンズ２の入射面２ａによって屈折せしめられた光Ｌ０７ｄ２が、導光レンズ２によって導光され、導光レンズ２の出射面２ｂによって発光素子光源１の光軸１’から遠ざかる側に屈折せしめられる。次いで、導光レンズ２の出射面２ｂによって屈折せしめられた光Ｌ０７ｄ３が、照明装置の照射方向（図５（Ｂ）の上側）に照射される。
【０１０３】
つまり、第１の実施形態の照明装置１０では、図５（Ｂ）に示すように、照明装置１０の光軸１０’と７０°の角度をなして発光素子光源１から放射された光Ｌ０７ａ１，Ｌ０７ｂ１，Ｌ０７ｃ１，Ｌ０７ｄ１が、導光レンズ２によって導光され、発光素子光源１の光軸１’に近づく側に屈折せしめられた光Ｌ０７ａ３，Ｌ０７ｂ３，Ｌ０７ｃ３，Ｌ０７ｄ３となって導光レンズ２の出射面２ｂから照明装置の照射方向（図５（Ｂ）の上側）に照射される。その結果、第１の実施形態の照明装置１０では、図５（Ｂ）および図７（Ｄ）に示すように、導光レンズ２の出射面２ｂから照射される光の光度のピークが、照明装置１０の光軸１０’と約７０°の角度をなす位置に設定されるのではなく、照明装置１０の光軸１０’と約６７°の角度をなす位置に設定される。
【０１０４】
そのため、第１の実施形態の照明装置１０では、照明装置１０全体の配光特性が図８に示すようになる。すなわち、第１の実施形態の照明装置１０では、図８に示すように、導光レンズ２（図１参照）の出射面２ｂ（図１参照）から発光素子光源１（図１参照）の光軸１’（図１参照）上に照射される光の光度（図８中の０°における光度）が、導光レンズ２の出射面２ｂから発光素子光源１の光軸１’と例えば約１０°〜約６０°の角度をなして照射される光の光度（図８中の１０°〜６０°における光度）よりも低くなる。
【０１０５】
換言すれば、第１の実施形態の照明装置１０によれば、図８に示すように、導光レンズ２（図１参照）の出射面２ｂ（図１参照）から発光素子光源１（図１参照）の光軸１’（図１参照）と例えば約４０°〜約６０°の角度をなして照射される光の光度を、導光レンズ２の出射面２ｂから発光素子光源１の光軸１’上に照射される光の光度よりも高くすることができる。
【０１０６】
詳細には、第１の実施形態の照明装置１０では、図９に示すように、導光レンズ２の入射面２ａのうち、２次曲線２ａ１の頂点２ａ１ａよりも発光素子光源１の光軸１’に近い部分を介して入射した発光素子光源１からの光Ｌ０１ａ１が、導光レンズ２の入射面２ａによって、発光素子光源１の光軸１’から遠ざかる側に屈折せしめられる。
【０１０７】
そのため、第１の実施形態の照明装置１０によれば、導光レンズ２の入射面２ａのうち発光素子光源１の光軸１’に近い部分を介して入射した発光素子光源１からの光Ｌ０１ａ１が導光レンズ２の入射面２ａによって発光素子光源１の光軸１’から遠ざかる側に屈折せしめられない場合よりも、導光レンズ２の出射面２ｂから発光素子光源１の光軸１’上に照射される光の光度を低くすることができる（図８参照）。
【０１０８】
更に、第１の実施形態の照明装置１０では、図９に示すように、導光レンズ２の入射面２ａのうち、２次曲線２ａ１の頂点２ａ１ａよりも発光素子光源１の光軸１’から遠い部分（図９中の導光レンズ２の入射面２ａの断面形状が右上がりになっている部分）を介して入射した発光素子光源１からの光Ｌ０７ａ１が、導光レンズ２の入射面２ａによって、発光素子光源１の光軸１’に近づく側に屈折せしめられる。詳細には、発光素子光源１からの光（発光素子光源１の光軸１’と７０°の角度をなす光）Ｌ０７ａ１が、発光素子光源１の光軸１’に近づく側に屈折せしめられた光（発光素子光源１の光軸１’と７０°未満の角度をなす光）Ｌ０７ａ３になって導光レンズ２の出射面２ｂから照射される。
【０１０９】
そのため、第１の実施形態の照明装置１０によれば、導光レンズ２（図１参照）の出射面２ｂ（図１参照）から照射される光によって形成される配光パターンＰ（図１０参照）の縁部Ｐ１（図１０参照）付近における光度（図８中の約７０°における光度）の立下りを急峻にすることができる。換言すれば、第１の実施形態の照明装置１０によれば、導光レンズ２の出射面２ｂから照射される光によって形成される配光パターンＰの縁部Ｐ１の輪郭を明瞭にすることができる。つまり、第１の実施形態の照明装置１０によれば、導光レンズ２の出射面２ｂからの光の一部が配光パターンＰの縁部Ｐ１の外側にグレア光となって照射されてしまうおそれを低減することができる。
【０１１０】
図１１は第１の実施形態の照明装置１０の導光レンズ２の入射面２ａと、第２の実施形態の照明装置１０の導光レンズ２の入射面２ａと、第３の実施形態の照明装置１０の導光レンズ２の入射面２ａとを比較して示した図である。詳細には、図１１（Ａ）は第１の実施形態の照明装置１０を示しており、図１１（Ｂ）は第２の実施形態の照明装置１０を示しており、図１１（Ｃ）は第３の実施形態の照明装置１０を示している。
【０１１１】
第１の実施形態の照明装置１０では、図１１（Ａ）に示すように、導光レンズ２の入射面２ａのうち、発光素子光源１の光軸１’の近傍の部分が、発光素子光源１の光軸１’を中心に２次曲線２ａ１を回転させることにより得られる曲面によって形成されている。仮に、第１の実施形態の照明装置１０の導光レンズ２を例えば樹脂材料などの成形によって形成しようとすると、導光レンズ２の入射面２ａのうち発光素子光源１の光軸１’の近傍の部分に対応する成形金型が非常に尖った形状になってしまい、導光レンズ２の成形性が低下してしまうおそれがある。
【０１１２】
この点に鑑み、本発明者が鋭意研究を行った結果、図１１（Ｂ）に示すように、導光レンズ２の入射面２ａのうち発光素子光源１の光軸１’を中心とする半径約０．２ｍｍの部分を平面によって形成した場合、および、図１１（Ｃ）に示すように、導光レンズ２の入射面２ａのうち発光素子光源１の光軸１’を中心とする半径約０．２ｍｍの部分を球状面によって形成した場合に、図１１（Ａ）に示す第１の実施形態の照明装置１０とほぼ同等に、導光レンズ２の出射面２ｂから発光素子光源１の光軸１’上に照射される光の光度を低くすることができると共に、図１１（Ａ）に示す第１の実施形態の照明装置１０よりも例えば樹脂材料などによる導光レンズ２の成形性を向上させることができることを見い出したのである。
【０１１３】
つまり、第２の実施形態の照明装置１０では、図１１（Ｂ）に示すように、導光レンズ２の入射面２ａのうち、発光素子光源１の光軸１’を中心とする半径約０．２ｍｍの部分が、平面によって形成されている。更に、第３の実施形態の照明装置１０では、図１１（Ｃ）に示すように、導光レンズ２の入射面２ａのうち、発光素子光源１の光軸１’を中心とする半径約０．２ｍｍの部分が、球状面によって形成されている。
【０１１４】
以下、本発明の照明装置の第４の実施形態について説明する。図１２は第４の実施形態の照明装置１０の断面図である。詳細には、図１２は照明装置１０の光軸１０’を含む平面によって第４の実施形態の照明装置１０を切断した断面図である。
【０１１５】
図１３は第４の実施形態の照明装置１０全体の配光特性図である。つまり、図１３は第４の実施形態の照明装置１０の発光素子光源１から放射され、導光レンズ２によって導光され、導光レンズ２の出射面２ｂから照射される光の光度と、その光と照明装置１０の光軸１０’とがなす角度（°）との関係を示している。
【０１１６】
図１４は第４の実施形態の照明装置１０の特徴を表した光路図である。図１５は第４の実施形態の照明装置１０の導光レンズ２の出射面２ｂから照射される光によって形成される配光パターンＰを示した図である。
【０１１７】
第４の実施形態の照明装置１０では、図１２に示すように、導光レンズ２の入射面２ａの形状を除き、上述した第１の実施形態の照明装置１０（図１参照）と概略同様に構成されている。
【０１１８】
詳細には、図１２に示す例では、図１２に示すようにＸ軸およびＺ軸の原点（０，０）を発光素子光源１上に設定した場合に、第１端点Ｕの座標が（０，３．４）に設定され、第２端点Ｓの座標が（５．０，２．５６）に設定され、制御点Ｖの座標が（０．５，２．４）に設定され、２次曲線２ａ１の頂点２ａ１ａの座標が（２．２９，２．５）に設定されている。
【０１１９】
そのため、第４の実施形態の照明装置１０では、照明装置１０全体の配光特性が図１３に示すようになる。すなわち、第４の実施形態の照明装置１０では、図１３に示すように、導光レンズ２（図１２参照）の出射面２ｂ（図１２参照）から発光素子光源１（図１２参照）の光軸１’（図１２参照）上に照射される光の光度（図１３中の０°における光度）が、導光レンズ２の出射面２ｂから発光素子光源１の光軸１’と例えば約１０°〜約６０°の角度をなして照射される光の光度（図１３中の１０°〜６０°における光度）とほぼ等しくなる。
【０１２０】
換言すれば、第４の実施形態の照明装置１０によれば、図１３に示すように、導光レンズ２（図１２参照）の出射面２ｂ（図１２参照）から発光素子光源１（図１２参照）の光軸１’（図１２参照）と例えば約１０°〜約６０°の角度をなして照射される光の光度を、導光レンズ２の出射面２ｂから発光素子光源１の光軸１’上に照射される光の光度とほぼ等しくすることができる。
【０１２１】
詳細には、第４の実施形態の照明装置１０では、図１４に示すように、導光レンズ２の入射面２ａのうち、２次曲線２ａ１の頂点２ａ１ａよりも発光素子光源１の光軸１’に近い部分を介して入射した発光素子光源１からの光Ｌ０１ａ１が、導光レンズ２の入射面２ａによって、発光素子光源１の光軸１’から遠ざかる側に屈折せしめられる。
【０１２２】
そのため、第４の実施形態の照明装置１０によれば、導光レンズ２の入射面２ａのうち発光素子光源１の光軸１’に近い部分を介して入射した発光素子光源１からの光Ｌ０１ａ１が導光レンズ２の入射面２ａによって発光素子光源１の光軸１’から遠ざかる側に屈折せしめられない場合よりも、導光レンズ２の出射面２ｂから発光素子光源１の光軸１’上に照射される光の光度を低くすることができる（図１３参照）。
【０１２３】
更に、第４の実施形態の照明装置１０では、図１４に示すように、導光レンズ２の入射面２ａのうち、２次曲線２ａ１の頂点２ａ１ａよりも発光素子光源１の光軸１’から遠い部分（図１４中の導光レンズ２の入射面２ａの断面形状が右上がりになっている部分）を介して入射した発光素子光源１からの光Ｌ０７ａ１が、導光レンズ２の入射面２ａによって、発光素子光源１の光軸１’に近づく側に屈折せしめられる。詳細には、発光素子光源１からの光（発光素子光源１の光軸１’と７０°の角度をなす光）Ｌ０７ａ１が、発光素子光源１の光軸１’に近づく側に屈折せしめられた光（発光素子光源１の光軸１’と７０°未満の角度をなす光）Ｌ０７ａ３になって導光レンズ２の出射面２ｂから照射される。
【０１２４】
そのため、第４の実施形態の照明装置１０によれば、導光レンズ２（図１２参照）の出射面２ｂ（図１２参照）から照射される光によって形成される配光パターンＰ（図１５参照）の縁部Ｐ１（図１５参照）付近における光度（図１３中の約７０°における光度）の立下りを急峻にすることができる。換言すれば、第４の実施形態の照明装置１０によれば、導光レンズ２の出射面２ｂから照射される光によって形成される配光パターンＰの縁部Ｐ１の輪郭を明瞭にすることができる。つまり、第４の実施形態の照明装置１０によれば、導光レンズ２の出射面２ｂからの光の一部が配光パターンＰの縁部Ｐ１の外側にグレア光となって照射されてしまうおそれを低減することができる。
【０１２５】
図１６は第４の実施形態の照明装置１０の導光レンズ２の入射面２ａと、第５の実施形態の照明装置１０の導光レンズ２の入射面２ａと、第６の実施形態の照明装置１０の導光レンズ２の入射面２ａとを比較して示した図である。詳細には、図１６（Ａ）は第４の実施形態の照明装置１０を示しており、図１６（Ｂ）は第５の実施形態の照明装置１０を示しており、図１６（Ｃ）は第６の実施形態の照明装置１０を示している。
【０１２６】
第４の実施形態の照明装置１０では、図１６（Ａ）に示すように、導光レンズ２の入射面２ａのうち、発光素子光源１の光軸１’の近傍の部分が、発光素子光源１の光軸１’を中心に２次曲線２ａ１を回転させることにより得られる曲面によって形成されている。
【０１２７】
一方、第５の実施形態の照明装置１０では、図１６（Ｂ）に示すように、導光レンズ２の入射面２ａのうち、発光素子光源１の光軸１’を中心とする半径約０．２ｍｍの部分が、平面によって形成されている。更に、第６の実施形態の照明装置１０では、図１６（Ｃ）に示すように、導光レンズ２の入射面２ａのうち、発光素子光源１の光軸１’を中心とする半径約０．２ｍｍの部分が、球状面によって形成されている。
【０１２８】
第７の実施形態では、上述した第１から第６の実施形態を適宜組み合わせることも可能である。
【０１２９】
以下、本発明の照明装置の適用例について説明する。図１７は第１の実施形態の照明装置（発光部１０ａ）を検出装置２０に適用した例を示した図である。図１７に示す検出装置２０は、例えばＴＯＦ（Ｔｉｍｅ  ｏｆ  Ｆｌｙ）方式距離センサーとして構成されて車両に搭載され、ＴＯＦ方式距離センサーと対象物との間の距離を測定するために用いられる。
【０１３０】
詳細には、図１７に示す例では、第１の実施形態の照明装置１０（図１参照）が検出装置２０の発光部１０ａとして用いられる。更に、第１の実施形態の照明装置１０とほぼ同様に構成された複数の発光部１０ａが、受光部１０ｂの周りに配列されている。また、発光部１０ａの導光レンズ２と受光部１０ｂの導光レンズ１２とが一部材によって構成されている。受光部１０ｂとしては、例えばＣＣＤカメラ、ＣＭＯＳカメラ、フォトダイオード、フォトトランジスタ、フォトＩＣなどが用いられる。
【０１３１】
具体的には、図１７に示す検出装置２０では、発光部１０ａの発光素子光源１から放射された光ＬＦａ１，ＬＦｂ１，ＬＦｃ１が、発光部１０ａの導光レンズ２の入射面２ａを介して発光部１０ａの導光レンズ２内に入射し、発光部１０ａの導光レンズ２によって導光され、発光部１０ａの導光レンズ２の出射面２ｂを介して発光部１０ａの照射方向に照射される。更に、発光部１０ａの導光レンズ２の出射面２ｂから照射された光ＬＦａ３，ＬＦｂ３，ＬＦｃ３のうち、対象物によって反射された反射光ＬＲａ１が、受光部１０ｂの導光レンズ１２の入射面１２ａを介して受光部１０ｂの導光レンズ１２内に入射し、受光部１０ｂの導光レンズ１２によって導光され、受光部１０ｂの導光レンズ１２の出射面１２ｂおよびカメラレンズ１３を介して受光素子１１に受光される。その結果、検出装置２０と対象物との間の距離が検出される。
【０１３２】
詳細には、図１７に示す検出装置２０では、図１に示す照明装置１０と同様に、発光部１０ａの発光素子光源１の光軸１’に対して概略垂直な平面によって発光部１０ａの導光レンズ２の出射面２ｂが形成されている。更に、発光部１０ａの発光素子光源１の側に頂点２ａ１ａ（図１参照）を有する２次曲線２ａ１（図１参照）を、発光部１０ａの発光素子光源１の光軸１’を中心に回転させることにより得られる曲面によって、発光部１０ａの導光レンズ２の入射面２ａが形成されている。
【０１３３】
また、図１７に示す検出装置２０では、図１に示す照明装置１０と同様に、２次曲線２ａ１（図１参照）の頂点２ａ１ａ（図１参照）が、発光部１０ａの発光素子光源１の発光面１ａ（図１参照）の外縁部１ａ１（図１参照）よりも発光部１０ａの発光素子光源１の光軸１’から遠い位置に配置されている。更に、２次曲線２ａ１の頂点２ａ１ａが、発光部１０ａの発光素子光源１の発光面１ａよりも発光部１０ａの導光レンズ２の出射面２ｂに近い位置に配置されている。
【０１３４】
その結果、図１７に示す検出装置２０では、図１に示す照明装置１０と同様に、発光部１０ａの導光レンズ２の入射面２ａのうち、２次曲線２ａ１（図９参照）の頂点２ａ１ａ（図９参照）よりも発光部１０ａの発光素子光源１の光軸１’に近い部分を介して入射した発光部１０ａの発光素子光源１からの光Ｌ０１ａ１（図９参照）が、発光部１０ａの導光レンズ２の入射面２ａによって、発光部１０ａの発光素子光源１の光軸１’から遠ざかる側に屈折せしめられる。
【０１３５】
そのため、図１７に示す検出装置２０によれば、図１に示す照明装置１０と同様に、発光部１０ａの導光レンズ２の入射面２ａのうち発光部１０ａの発光素子光源１の光軸１’に近い部分を介して入射した発光部１０ａの発光素子光源１からの光Ｌ０１ａ１（図９参照）が発光部１０ａの導光レンズ２の入射面２ａによって発光部１０ａの発光素子光源１の光軸１’から遠ざかる側に屈折せしめられない場合よりも、発光部１０ａの導光レンズ２の出射面２ｂから発光部１０ａの発光素子光源１の光軸１’上に照射される光の光度を低くすることができる。
【０１３６】
詳細には、図１７に示す検出装置２０によれば、図１に示す照明装置１０と同様に、発光部１０ａの導光レンズ２の出射面２ｂから発光部１０ａの発光素子光源１の光軸１’上に照射される光の光度を、発光部１０ａの導光レンズ２の出射面２ｂから発光部１０ａの発光素子光源１の光軸１’と角度をなして照射される光の光度と等しくするか、あるいは、それよりも低くすることができる。
【０１３７】
換言すれば、図１７に示す検出装置２０によれば、図１に示す照明装置１０と同様に、発光部１０ａの導光レンズ２の出射面２ｂから発光部１０ａの発光素子光源１の光軸１’と角度をなして照射される光の光度を、発光部１０ａの導光レンズ２の出射面２ｂから発光部１０ａの発光素子光源１の光軸１’上に照射される光の光度と等しくするか、あるいは、それよりも高くすることができる。
【０１３８】
更に、図１７に示す検出装置２０では、図１に示す照明装置１０と同様に、発光部１０ａの導光レンズ２の入射面２ａのうち、２次曲線２ａ１（図９参照）の頂点２ａ１ａ（図９参照）よりも発光部１０ａの発光素子光源１の光軸１’から遠い部分を介して入射した発光部１０ａの発光素子光源１からの光Ｌ０７ａ１（図９参照）が、発光部１０ａの導光レンズ２の入射面２ａによって、発光部１０ａの発光素子光源１の光軸１’に近づく側に屈折せしめられる。
【０１３９】
そのため、図１７に示す検出装置２０によれば、図１に示す照明装置１０と同様に、発光部１０ａの導光レンズ２の出射面２ｂから照射される光によって形成される配光パターンＰ（図１０参照）の縁部Ｐ１（図１０参照）付近における光度の立下りを急峻にすることができる。
【０１４０】
換言すれば、図１７に示す検出装置２０によれば、図１に示す照明装置１０と同様に、発光部１０ａの導光レンズ２の出射面２ｂから照射される光によって形成される配光パターンＰ（図１０参照）の縁部Ｐ１（図１０参照）の輪郭を明瞭にすることができる。
【０１４１】
つまり、図１７に示す検出装置２０によれば、発光部１０ａの導光レンズ２の出射面２ｂからの光の一部が、配光パターンＰ（図１０参照）の縁部Ｐ１（図１０参照）の外側にグレア光となって照射され、受光部１０ｂの受光素子１１によって受光され、検出装置２０と対象物との間の距離が誤って検出されてしまうおそれを低減することができる。
【０１４２】
更に、図１７に示す検出装置２０では、発光部１０ａの導光レンズ２の出射面２ｂと受光部１０ｂの導光レンズ１２の入射面１２ａとが同一平面上に配置されている。また、受光部１０ｂの導光レンズ１２の出射面１２ｂが、発光部１０ａの導光レンズ２の入射面２ａよりも受光部１０ｂの導光レンズ１２の入射面１２ａに近い位置に配置されている。更に、受光部１０ｂの受光素子１１に近づく側に発光部１０ａの導光レンズ２内を進む光ＬＦｂ２を受光部１０ｂの受光素子１１から遠ざかる側に反射するための反射面（導光レンズ２の内周面）２ｃが、発光部１０ａの導光レンズ２の入射面２ａと出射面２ｂとの間に形成されている。
【０１４３】
その結果、図１７に示す検出装置２０では、受光部１０ｂの受光素子１１に近づく側に発光部１０ａの導光レンズ２内を進む光ＬＦｂ２が、発光部１０ａの導光レンズ２の反射面２ｃによって、受光部１０ｂの受光素子１１から遠ざかる側に反射される（図１７中の反射光ＬＦｂ２’参照）。
【０１４４】
そのため、図１７に示す検出装置２０によれば、受光部１０ｂの受光素子１１に近づく側に発光部１０ａの導光レンズ２内を進む光ＬＦｂ２が受光部１０ｂの受光素子１１に受光され、検出装置２０と対象物との間の距離が誤って検出されてしまうおそれを低減することができる。
【０１４５】
更に、図１７に示す検出装置２０では、導光レンズ２の外周面２ｄに到達する光ＬＦｃ２が、導光レンズ２の外周面２ｄによって吸収されるのではなく、導光レンズ２の外周面２ｄによって反射される（図１７中の反射光ＬＦｃ２’参照）。次いで、反射光ＬＦｃ２’が導光レンズ２の出射面２ｂを介して発光部１０ａの照射方向に照射され（図１７中の光ＬＦｃ３参照）、検出装置２０と対象物との間の距離を検出するために有効利用される。
【０１４６】
ところで、受光部１０ｂの受光素子１１の画角が広角に設定されている場合には、受光部１０ｂの受光素子１１の光軸１１’と大きい角度をなす光に対する受光部１０ｂの受光素子１１の感度が、受光部１０ｂの受光素子１１の光軸１１’と小さい角度をなす光に対する受光部１０ｂの受光素子１１の感度よりも低くなってしまう傾向がある。
【０１４７】
この点に鑑み、図１７に示す検出装置２０では、図１に示す照明装置１０と同様、図８に示すように、発光部１０ａの導光レンズ２の出射面２ｂから発光部１０ａの発光素子光源１の光軸１’と角度をなして照射される光の光度が、発光部１０ａの導光レンズ２の出射面２ｂから発光部１０ａの発光素子光源１の光軸１’上に照射される光の光度よりも高くなるように、発光部１０ａの導光レンズ２の入射面２ａが設定されている。
【０１４８】
つまり、図１７に示す検出装置２０では、発光部１０ａの導光レンズ２の出射面２ｂから発光部１０ａの発光素子光源１の光軸１’と角度をなして照射される光の光度と発光部１０ａの導光レンズ２の出射面２ｂから発光部１０ａの発光素子光源１の光軸１’上に照射される光の光度とが等しくなるように発光部１０ａの導光レンズ２の入射面２ａが設定されている場合よりも、受光部１０ｂの受光素子１１の光軸１１’と大きい角度をなして受光部１０ｂの受光素子１１に受光される反射光の光度が強くされている。
【０１４９】
そのため、図１７に示す検出装置２０によれば、受光部１０ｂの受光素子１１の光軸１１’と小さい角度をなす光と同様に、受光部１０ｂの受光素子１１の光軸１１’と大きい角度をなす光を受光部１０ｂの受光素子１１によって感度良く受光することができる。
【産業上の利用可能性】
【０１５０】
本発明の照明装置は、例えば、特に画角周辺の光量不足が起こりやすい広角レンズを有するカメラ用の照明装置、光源から遠い位置を光源に近い位置と同程度の明るさで照射する必要がある自動車ナンバープレート用照明装置、光源から遠い位置を光源に近い位置と同程度の明るさで照射する必要がある看板用照明装置などに適用可能である。
【符号の説明】
【０１５１】
１              発光素子光源
１ａ            発光面
１ａ１          外縁部
１’            光軸
２              導光レンズ
２ａ            入射面
２ａ１          ２次曲線
２ａ１ａ        頂点
２ｂ            出射面
１０            照明装置
【図１】
2010198747.tif 000003
【図２】
2010198747.tif 000004
【図３】
2010198747.tif 000005
【図４】
2010198747.tif 000006
【図５】
2010198747.tif 000007
【図６】
2010198747.tif 000008
【図７】
2010198747.tif 000009
【図８】
2010198747.tif 000010
【図９】
2010198747.tif 000011
【図１０】
2010198747.tif 000012
【図１１】
2010198747.tif 000013
【図１２】
2010198747.tif 000014
【図１３】
2010198747.tif 000015
【図１４】
2010198747.tif 000016
【図１５】
2010198747.tif 000017
【図１６】
2010198747.tif 000018
【図１７】
2010198747.tif 000019